(57)【要約】【課題】  レンズの嵌外し作業が簡単で、非伸縮性バンドであってもレンズに緊締することができ、併せて、緊締したバンドが緩んでしまう心配もなく、しかも、バンドの長さをレンズサイズに合わせて厳密に調整する必要のない部分リム眼鏡におけるレンズ保持機構を提供すること。【解決手段】  バンドの少なくとも一端に円柱状の抜止めブロックを連結し、このバンドの抜止めブロックが結合されるべき対向するリムバーの弧端部には、前記抜止めブロックが遊嵌可能な雌ネジ筒部を設ける一方、前記バンドの抜止めブロックを、対向するリムバー弧端部の雌ネジ筒部に螺装されたパイプネジの内管部に遊嵌状態に装入し、バンドを内管ボトム部のバンド孔から雌ネジ筒部の外へ引き出して、レンズの外周縁のヤゲン溝に巻付け添合させ、当該バンドの他端部をリムバーの他方の弧端部に連結して構成した。【選択図】  図１
2008122816.tif 000002
【特許請求の範囲】
【請求項１】
レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端には、円柱状の抜止めブロック31が連結されており、このバンド３の抜止めブロックが結合されるべき対向するリムバー２の弧端部には、前記抜止めブロック31が遊嵌可能な雌ネジ筒部21が設けられ、かつ、この雌ネジ筒部21にはパイプネジ４が外周の雄ネジ44により捻込み、捻戻し自在に螺装されている一方、前記パイプネジ４における内管部41のボトム部42には前記バンド３が挿通されるバンド孔43が開設されて前記抜止めブロック31に連なるバンド３が挿通可能であり、
前記バンド３の抜止めブロック31を、対向するリムバー弧端部の前記雌ネジ筒部21に螺装された前記パイプネジ４の内管部41に遊嵌状態に装入し、バンド３を内管ボトム部42のバンド孔43から雌ネジ筒部21の外へ引き出して、レンズ１の外周縁のヤゲン溝11に巻付け添合させ、当該バンド３の他端部32をリムバー２の他方の弧端部に連結して、パイプネジ４を捻込み・捻戻し操作することにより、レンズ１に対するバンド３の締付張力を調節可能に構成したことを特徴とする部分リム眼鏡におけるレンズ保持機構。
【請求項２】
レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端に、円柱状の抜止めブロック31が連結されており、このバンド３の抜止めブロックが結合されるべきリムバー２の弧端部と連接するヨロイ５には、前記抜止めブロック31が遊嵌可能な雌ネジ筒部51が設けられ、かつ、この雌ネジ筒部51にはパイプネジ４が外周の雄ネジ44により捻込み、捻戻し自在に螺装されている一方、前記パイプネジ４における内管部41のボトム部42には前記バンド３が挿通されるバンド孔43が開設されて前記抜止めブロック31に連なるバンド３が挿通可能であり、
前記バンド３の抜止めブロック31を、ヨロイ５の前記雌ネジ筒部51に螺装された前記パイプネジ４の内管部41に遊嵌状態に装入し、バンド３を内管ボトム部42のバンド孔43から雌ネジ筒部51の外へ引き出して、レンズ１の外周縁のヤゲン溝11に巻付け添合させ、バンド３の他端部32をリムバー２のブリッジ側弧端部に連結して、パイプネジ４を捻込み・捻戻し操作することにより、レンズ１に対するバンド３の締付張力を調節可能に構成したことを特徴とする部分リム眼鏡におけるレンズ保持機構。
【請求項３】
ヨロイ５の上面又は下面から雌ネジ筒部51を螺設して形成すると共に、ヨロイ５のレンズ側側面部からは、前記雌ネジ筒部51に連通する連通孔52を穿設する一方、前記雌ネジ筒部51に装入されたパイプネジ４のバンド孔43から引き出したバンド３を、前記連通孔52に挿通してレンズ１に巻付け添合したことを特徴とする請求項２記載の部分リム眼鏡におけるレンズ保持機構。
【請求項４】
バンド３の抜止めブロック31が、バンド先端に筒状部材を接着又は溶接して設けられていることを特徴とする請求項１〜３の何れか一つに記載の部分リム眼鏡におけるレンズ保持機構。
【請求項５】
バンド３に熱可塑性を有する合成繊維モノフィラメントのテグスが使用され、更に、このテグスの先端が溶融成形されてバンド３に抜止めブロック31が設けられていることを特徴とする請求項１〜３の何れか一つに記載の部分リム眼鏡におけるレンズ保持機構。
【請求項６】
パイプネジ４に開口部からバンド孔43まで至る線状のスリット46が形成されていることを特徴とする請求項１〜５の何れか一つに記載の部分リム眼鏡におけるレンズ保持機構。
【発明の詳細な説明】
【技術分野】
【０００１】
本発明は、部分リム眼鏡におけるレンズ保持機構の改良、詳しくは、レンズの嵌外し作業が簡単で、バンドをレンズに緊締することができ、その緊締したバンドが緩んでしまうこともない実用的な部分リム眼鏡におけるレンズ保持機構に関するものである。
【背景技術】
【０００２】
周知のとおり、リムバーと合成繊維モノフィラメントのテグス等から成るバンドによってレンズを固定するハーフリム眼鏡等の部分リム眼鏡は、ファッション性及び視界性に優れた眼鏡として非常に人気が高い。
【０００３】
そして、従来においては、リムバーの両弧端部に係止孔を設け、これらの係止孔に止着したバンドをレンズの外周縁に張設することによってレンズを保持できるようにした部分リム眼鏡が公知となっている（例えば、特許文献１参照）。
【０００４】
しかしながら、上記従来の部分リム眼鏡におけるレンズ保持機構では、バンドを先に止着してからレンズを装着しなければならなかったことから、所定の長さに吊着されたバンドを専用工具により伸長させ、その状態でバンドをレンズ外周のヤゲン溝に嵌入していく作業が必要となり、その作業を、バンドが切断しないように実行するためには、熟練者による高度の技巧が要求された。
【０００５】
また、装着レンズを取外す際においても、レンズに締め付けたバンドを、無理に引き伸ばす作業が必要で、バンドが切断することが多かった。
【０００６】
加えて、バンドに金属ワイヤー等の非伸縮性線材を用いた場合には、バンドを伸長させることができないことから、バンドを前以って長めに吊着しなければならず、それによりレンズをバンドで緊締状態に保持することが困難であった。
【０００７】
一方、従来においては、＜特許文献２＞にあるように、リムバーの弧端部周辺に配設したヨロイの雌ネジ孔にネジ材を螺装すると共に、当該ネジ材とバンドとを連結してネジ材の捻込みによってバンドがネジ材に巻付けられるように構成したバンドの張力調節が可能なレンズ保持機構も公知となっている。
【０００８】
ところが、上記文献２の従来技術においては、ネジ材にバンドを巻着して構成していたことから、ネジ材を捻込むことによってバンドをレンズに堅く締め付けても、バンドの高張力によりネジ材を逆回転してバンドが巻き戻されてしまい、それによってバンドに緩みが生じてしまうことがあった。
【０００９】
また、従来においては、＜特許文献３＞にあるように、バンドの端部に袋ナット材を一体的に取り付け、この袋ナット材を、リムバーの弧端部に設けた貫通孔に嵌入し、貫通孔の上側からネジ材で止着して構成することにより、バンドの張力調節を可能にしたレンズ装着機構も公知となっている。
【００１０】
しかしながら、上記文献３におけるレンズ装着機構においては、袋ナット材の管内奥行きの長さだけしか、袋ナット材を往復動させることができなかったことから、その可動範囲内でバンドを緊締できるようにバンドの長さを厳密に調整しなければならず、非常に不便な構造であった。
【特許文献１】特開平１０−１０４７２号公報（第２−１１頁、第１〜６図）
【特許文献２】実開昭６０−１２０９２号公報（第１−３頁、第１〜４図）
【特許文献３】特開２００２−６２６２号公報（第２−６頁、第１〜９図）
【発明の開示】
【発明が解決しようとする課題】
【００１１】
本発明は、上記の如き問題に鑑みて為されたものであり、その目的とするところは、レンズの嵌外し作業が簡単で、非伸縮性バンドであってもレンズに緊締することができ、併せて、緊締したバンドが緩んでしまう心配もなく、しかも、バンドの長さをレンズサイズに合わせて厳密に調整する必要のない部分リム眼鏡におけるレンズ保持機構を具備したナイロール眼鏡を提供することにある。
【課題を解決するための手段】
【００１２】
本発明者が、上記課題を解決するために採用した手段を添付図面を参照して説明すれば次のとおりである。
【００１３】
即ち、本発明は、レンズ１の外周縁における上弦部もしくは下弦部、又はを弧状のリムバー２によって支持し、残りのレンズ外周縁をバンド３により緊締保持して構成される部分リム眼鏡において、
前記バンド３の少なくとも一端には、円柱状の抜止めブロック31が連結されており、このバンド３の抜止めブロックが結合されるべき対向するリムバー２の弧端部には、前記抜止めブロック31が遊嵌可能な雌ネジ筒部21が設けられ、かつ、この雌ネジ筒部21にはパイプネジ４が外周の雄ネジ44により捻込み、捻戻し自在に螺装されている一方、前記パイプネジ４における内管部41のボトム部42には前記バンド３が挿通されるバンド孔43が開設されて前記抜止めブロック31に連なるバンド３が挿通可能であり、
前記バンド３の抜止めブロック31を、対向するリムバー弧端部の前記雌ネジ筒部21に螺装された前記パイプネジ４の内管部41に遊嵌状態に装入し、バンド３を内管ボトム部42のバンド孔43から雌ネジ筒部21の外へ引き出して、レンズ１の外周縁のヤゲン溝11に巻付け添合させ、当該バンド３の他端部32をリムバー２の他方の弧端部に連結して、パイプネジ４を捻込み・捻戻し操作することにより、レンズ１に対するバンド３の締付張力を調節可能に構成した点に特徴がある。
【００１４】
また、本発明においては、上記課題を解決するために、必要に応じて上記手段に加え、レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端に、円柱状の抜止めブロック31が連結されており、このバンド３の抜止めブロックが結合されるべきリムバー２の弧端部と連接するヨロイ５には、前記抜止めブロック31が遊嵌可能な雌ネジ筒部51が設けられ、かつ、この雌ネジ筒部51にはパイプネジ４が外周の雄ネジ44により捻込み、捻戻し自在に螺装されている一方、前記パイプネジ４における内管部41のボトム部42には前記バンド３が挿通されるバンド孔43が開設されて前記抜止めブロック31に連なるバンド３が挿通可能であり、
前記バンド３の抜止めブロック31を、ヨロイ５の前記雌ネジ筒部51に螺装された前記パイプネジ４の内管部41に遊嵌状態に装入し、バンド３を内管ボトム部42のバンド孔43から雌ネジ筒部51の外へ引き出して、レンズ１の外周縁のヤゲン溝11に巻付け添合させ、バンド３の他端部32をリムバー２のブリッジ側弧端部に連結して、パイプネジ４を捻込み・捻戻し操作することにより、レンズ１に対するバンド３の締付張力を調節可能に構成するという技術的手段を採用することができる。
【００１５】
また、本発明においては、上記課題を解決するために、必要に応じて上記手段に加え、ヨロイ５の上面又は下面から雌ネジ筒部51を螺設して形成すると共に、ヨロイ５のレンズ側側面部からは、前記雌ネジ筒部51に連通する連通孔52を穿設する一方、前記雌ネジ筒部51に装入されたパイプネジ４のバンド孔43から引き出したバンド３を、前記連通孔52に挿通してレンズ１に巻付け添合するという技術的手段を採用することができる。
【００１６】
また、本発明においては、上記課題を解決するために、必要に応じて上記手段に加え、バンド３の抜止めブロック31を、バンド先端に筒状部材を接着又は溶接して設けるという技術的手段を採用することができる。
【００１７】
また、本発明においては、上記課題を解決するために、必要に応じて上記手段に加え、バンド３に熱可塑性を有する合成繊維モノフィラメントのテグスを使用し、更に、このテグスの先端が溶融成形されてバンド３に抜止めブロック31を設けるという技術的手段を採用することができる。
【００１８】
また、本発明においては、上記課題を解決するために、必要に応じて上記手段に加え、パイプネジ４に、開口部からバンド孔43まで至る線状のスリット46を形成するという技術的手段を採用することができる。
【発明の効果】
【００１９】
本発明では、バンドの一端に円柱状の抜止めブロックを形成し、さらに、この抜止めブロックを、底部からバンドを引き出した状態で遊嵌できるパイプネジを、リムバーの雌ネジ筒孔に螺嵌して構成したことによって、バイプネジを捻込み・捻戻し操作することにより、雌ネジ筒孔の内部でパイプネジを往復動させてバンドのレンズに対する締付張力を調節することができるレンズ装着機構を完成させた。
【００２０】
そして、これにより、レンズを装着する際、バンドをリムバーに長めに吊着した後、パイプネジを捻戻し操作するだけで、バンドをレンズに緊締することができ、装着したレンズを取外す際には、パイプネジを捻込み操作するだけでバンドの締付張力を緩めることができるため、バンドが作業中に切断してしまうようなことはなく、高度な技巧も不要となる。
【００２１】
加えて、バンドに非伸縮性線材を使用したとしても、バンドの締付張力を調節して簡単にレンズに緊締することができる。
【００２２】
また、バンドの締付張力の調節は、捻込み・捻戻し操作によるバイプネジの進退動でバンドを牽引して行うため、レンズに緊締したバンドが緩んでしまうようなこともない。
【００２３】
そしてまた、リムバーに直接雌ネジ孔を設けていることから、パイプネジの可動範囲は大きくなり、それによって緊締可能なバンド長さの許容範囲も拡大されるため、バンドの長さに関して厳密な調整を行う必要もない。
【００２４】
したがって、本発明により、レンズの装着・取外しにおける機能性、及び利便性に優れた部分リム眼鏡を提供することができることから、本発明の実用的利用価値は頗る高い。
【発明を実施するための最良の形態】
【００２５】
『実施例１』
まず、本発明の実施例１について、図１から図３に基いて説明する。まず、符号１で指示するものは、レンズであり、符号２で指示するものは、リムバーである。そして、符号３で指示するものは、バンドであり、符号４で指示するものは、パイプネジである。
【００２６】
しかして、本実施例の構成を以下に説明する。まず、本実施例では、レンズ１の外周縁における上弦部を弧状のリムバー２によって支持する金属製フロント枠Ｆを洋白により作製した（図１参照）。
【００２７】
そして、リムバー２で保持されない残りのレンズ外周縁を緊締保持するバンド３としては、強靱なステンレスファイバーを使用し、バンド３の一端には、筒状部材をスポット溶接して円柱状の抜止めブロック31を形成した（図２参照）。
【００２８】
一方、このバンド３の抜止めブロックを結合するリムバー２のテンプル側弧端部には、抜止めブロック31が遊嵌可能な雌ネジ筒部21を穿設した。
【００２９】
次いで、前記バンド３の抜止めブロック31が遊嵌可能な内管部41を備え、かつ、その内管部41のボトム部42には、抜止めブロック31に連なるバンド３が挿通可能なバンド孔43が開設されたパイプネジ４を作製した（図３参照）。
【００３０】
そして、当該パイプネジ４を前記リムバー２の雌ネジ筒部21に、外周の雄ネジ44により捻込み、捻戻し自在に螺装すると共に、前記バンド３の抜止めブロック31を、螺装されたパイプネジ４の内管部41に遊嵌状態に装入した。
【００３１】
更に、装入した抜止めブロックに連なるバンド３を、パイプネジ４の内管ボトム部42のバンド孔43から雌ネジ筒部21の外へ引き出し、レンズ１の外周縁のヤゲン溝11に巻付け添合させ、リムバー２のもう一方の弧端部にバンド３の他端部32を連結した。
【００３２】
上記のように構成したことによって、バイプネジ４のネジ溝45に専用工具を差し込んで捻込み・捻戻し操作すれば、雌ネジ筒孔21の内部でパイプネジ４が往復動してバンド３のレンズ１に対する締付張力を調節することができる。
【００３３】
そして、これにより、レンズ１を装着する際、バンド３をリムバー２に長めに吊着した後、パイプネジ４を捻戻し操作するだけで、バンド３をレンズ１に緊締することができ、装着したレンズ１を取外す際には、パイプネジ４を捻込み操作するだけでバンド３の締付張力を緩めることができるため、高度な技巧も不要となる。
【００３４】
加えて、バンド３が非伸縮性線材であっても、パイプネジ４によるバンド３の締付張力を調節により簡単にレンズ１に緊締することができる。
【００３５】
また、バンド３の締付張力の調節は、雌ネジ筒21の中でパイプネジ４を捻込み・捻戻し操作して進退動させてバンドを牽引するため、レンズ１に緊締したバンド３が緩んでしまうようなこともない。
【００３６】
そしてまた、リムバー２に直接雌ネジ筒孔21を設けていることから、パイプネジ４の可動域は大きくなり、バンド３の長さの許容範囲も拡大されるため、厳密に長さの調整を行う必要もない。
【００３７】
『実施例２』
次に、本発明の実施例２について図４及び図５に基いて以下に詳細に説明する。まず、本実施例では、セルロースアセテート樹脂によりプラスチック製フロント枠Ｆを作成すると共に、バンド３の両端に抜止めブロック31・31を形成し、更に、これらの抜止めブロック31・31を結合する雌ネジ孔21・21をリムバー２のブリッジ側とテンプル側の両弧端部に設けた（図４参照）。
【００３８】
また、バンド３にはナイロン製テグスを使用し、このテグス先端を溶融成形することによって抜止めブロック31を形成した。なお、バンド３に合成繊維モノフィラメントのテグスを使用しても、パイプネジ４の捻込み・捻戻し操作による締付張力の調節を行いながらバンド３を張設するため、バンド３が過度に引き伸ばされて切断してしまうような心配はない。
【００３９】
更に本実施例では、パイプネジ４に、開口部からバンド孔43まで至る線状のスリット46を形成した。これにより、バンド３をスリット46から挿入してバンド孔43に挿通させ、その後、パイプネジ４をバンド３の端部側へ移動することによって抜止めブロック31を内管部41に装入できるようにした（図５参照）。
【００４０】
『実施例３』
次に、本発明の実施例３について図６及び図７に基いて以下に詳細に説明する。なお、図中において、符号５で指示するものは、ヨロイである。まず、本実施例では、リムバー２のテンプル側弧端部に持出部22を形成すると共に、その持出部22の後部にヨロイ５を配設し、このヨロイ５の上面から抜止めブロック31が遊嵌可能な雌ネジ筒部51を穿設した。（図６参照）。
【００４１】
更に、ヨロイ５のレンズ側側面部からは、前記ヨロイ５の雌ネジ筒部51に連通する連通
孔52を穿設し、雌ネジ筒部51に装入されたパイプネジ４のバンド孔43から引き出したバンド３を、前記連通孔52に挿通してレンズ１に巻付け張設した（図７参照）。
【００４２】
これにより、リムバー２の弧端部が、雌ネジ筒部21を穿設できるだけの充分な厚みを有していない場合であっても、本発明のレンズ保持機構を適用することが可能となる。
【００４３】
『実施例４』
次に、本発明の実施例４について図８及び図９に基いて以下に詳細に説明する。本実施例においては、レンズ１の下弦部を保持する形態のリムバー２を採用すると共に、リムバー２の弧端部に、ヨロイ５を嵌着してフレーム枠Ｆを作製した（図８、図９参照）。
【００４４】
これにより、リムバー２に持出部22を形成することなく、雌ネジ筒部51が設けられたヨロイ５を連接して配設することができる。
【００４５】
本発明は、概ね上記のように構成されるが、図示の実施形態に限定されるものでは決してなく、「特許請求の範囲」の記載内において種々の変更が可能であって、例えば、リムバー２は、レンズ１の左右側弦部を保持する形状のものにも適用可能である。
【００４６】
また、パイプネジ４におけるネジ溝45の形状も、捻込み・捻戻し操作する工具に応じて変更することができ、何れも本発明の技術的範囲に属する。
【産業上の利用可能性】
【００４７】
近年、ファッションアイテムとして眼鏡が重視されるようになっとことにより、その洗練されたデザインからハーフリム眼鏡の愛好者は非常に多くなった。ところが、ハーフリム眼鏡においては、バンドの切断や緩みによってレンズが外れてしまうことがあり、これが自動車の運転中などに起きると非常に危険な事態となる。そのため、バンドに傷を付けることなくレンズにしっかりと緊締できるレンズの装着機構が求められる。
【００４８】
そのような中で、本発明の部分リム眼鏡におけるレンズ保持機構は、レンズの装着作業が非常に簡単であるだけでなく、レンズが外れる要因となるバンドの傷みや緩みが生じ難い安全性の高い技術であることから、市場における需要は大きく、本発明の産業上の利用価値は非常に高いと云える。
【図面の簡単な説明】
【００４９】
【図１】本発明の実施例１におけるレンズ保持機構を表わす全体斜視図である。
【図２】本発明の実施例１におけるレンズ保持機構を表わす説明断面図である。
【図３】本発明の実施例１におけるバンド及びパイプネジの構造を表わす部分斜視図である。
【図４】本発明の実施例２におけるレンズ保持機構を表わす説明前面図である。
【図５】本発明の実施例２におけるパイプネジを表わす全体上面図である。
【図６】本発明の実施例３におけるレンズ保持機構を表わす部分斜視図である。
【図７】本発明の実施例３におけるレンズ保持機構を表わす部分断面図である。
【図８】本発明の実施例４におけるレンズ保持機構を表わす説明前面図である。
【図９】本発明の実施例４におけるヨロイの構造を表わす部分斜視図である。
【符号の説明】
【００５０】
１  レンズ
11  ヤゲン溝
２  リムバー
21  雌ネジ筒孔
22  持出部
３  バンド
31  抜止めブロック
32  他端部
４  パイプネジ
41  内管部
42  ボトム部
43  バンド孔
44  雄ネジ
45  ネジ溝
46  スリット
５  ヨロイ
51  雌ネジ筒孔
52  連通孔
【図１】
2008122816.tif 000003
【図２】
2008122816.tif 000004
【図３】
2008122816.tif 000005
【図４】
2008122816.tif 000006
【図５】
2008122816.tif 000007
【図６】
2008122816.tif 000008
【図７】
2008122816.tif 000009
【図８】
2008122816.tif 000010
【図９】
2008122816.tif 000011